(57)【要約】      （修正有）【課題】従来の身体傾斜角計測器等より軽くコンパクトでありながら、角度計測のためのスイッチ操作や角度の読み取り等を行うことなく誰でも簡単に利用できる、体位の傾斜表示器を安価に提供する。【解決手段】細長い板状の横桿１と、横桿１の長手方向中央から等距離にある２つの点２、３を中心に、それぞれ回動可能に設けられている細長い板状の縦桿４、５を備え、横桿１の上面中央に第１レーザーポインタ７、横桿１の上面両端部に第２レーザーポインタ８及び第３レーザーポインタ９、横桿１の上面中央右寄りに第１水準器１０及び第２水準器１１が設置されている。【選択図】図１
2015159880.tif 000002
【特許請求の範囲】
【請求項１】
上面又は前面の長手方向中央に指標が施された細長い棒状又は板状の横桿と、
該横桿の前記指標から等距離にある２つの点を中心に、一平面内でそれぞれ回動可能に設けられている細長い棒状又は板状の縦桿を備え、
前記横桿の上面又は前面に、前面側から視認可能な塗料層、反射体又は発光体が設置されていることを特徴とする
体位傾斜表示器。
【請求項２】
前記蛍光体、反射体又は発光体が、前記横桿の長手方向中央と両端部近傍に分離して設置されており、
前記長手方向中央に設置されている蛍光体、反射体又は発光体が前記指標を兼ねていることを特徴とする
請求項１に記載の体位傾斜表示器。
【請求項３】
前記長手方向中央に設置されている発光体が、前記一平面と平行、かつ、前記横桿の長手方向と垂直な前面方向にレーザー光を発射可能な第１レーザーポインタであり、
前記両端部近傍に設置されている発光体が、それぞれ前記一平面と平行、かつ、前記横桿の長手方向と垂直な前面方向にレーザー光を発射可能な第２レーザーポインタ及び第３レーザーポインタであることを特徴とする
請求項２に記載の体位傾斜表示器。
【請求項４】
前記横桿の上面又は前面に、前記一平面と平行、かつ、前記横桿の長手方向と垂直な直線が水平となった時に、水平であることを表示する第１水準器及び前記横桿の長手方向と平行な直線が水平となった時に、水平であることを表示する第２水準器を備えることを特徴とする
請求項１ないし３のいずれかに記載の体位傾斜表示器。
【請求項５】
前記一平面が前記横桿の下面側にあることを特徴とする
請求項１ないし４のいずれかに記載の体位傾斜表示器。
【発明の詳細な説明】
【技術分野】
【０００１】
本発明は、人体の骨盤や鎖骨における左右の高さの差を見易く表示して、体位が左右方向に傾斜しているか否かを簡単に知らしめるようにした表示器に関するものである。
【背景技術】
【０００２】
人は歩き方や座っている時の姿勢等がそれぞれ異なり、歩き方や座り方の癖等に起因して、まっすぐに立っているつもりでも骨盤や鎖骨の左右の高さに差が生じていることがある。骨盤や鎖骨の左右の高さに差が生じていると、疲れ易く膝痛や腰痛を起こし易い。
この骨盤や鎖骨における左右の高さの差を矯正するためには、正しい姿勢及び足運びで歩くことが非常に大事であり、各種の体操や運動によっても一定の効果がある。
しかし、歩行法等を学んでそれらを実行しても、その効果が上がっていること、すなわち、骨盤や鎖骨における左右の高さの差が矯正されていることを知るには、通常は複雑な体位測定器による測定が必要であり、実行者自らがその測定や確認を行うことは困難であった。
【０００３】
特許文献１（特許第４８８５７９５号公報）には、比較的自由に持ち運びできる体位測定器として、身体傾斜角計測器が提案されている。
この身体傾斜角計測器は、その請求項１に記載されるように「基準軸線に直交する仮想平面に沿って相互に平行に延びる第１腕および第２腕と、第１腕および第２腕に平行に延びる軸線回りで重力方向に対して角度を測定する第１角度計と、基準軸線回りに回転角を測定する第２角度計と、基準軸線回りに測定開始位置および測定終了位置を特定するスイッチ回路とを備えることを特徴とする」ものである。
【先行技術文献】
【特許文献】
【０００４】
【特許文献１】特許第４８８５７９５号公報
【発明の概要】
【発明が解決しようとする課題】
【０００５】
しかし、特許文献１の身体傾斜角計測器は、自由に持ち運び可能ではあるものの、少なくとも第１腕、第２腕、第１角度計、第２角度計及びスイッチ回路を備えているため、角度を計測するにあたっては、適当なタイミングでのスイッチ操作が必要である上、ある程度の重量と大きさがあり、コストを下げるにも限度がある。
本発明は、このような問題点を解決し、従来の身体傾斜角計測器等より軽くコンパクトでありながら、角度計測のためのスイッチ操作や角度の読み取り等を行うことなく誰でも簡単に利用できる体位傾斜表示器を安価に提供することを目的とする。
【課題を解決するための手段】
【０００６】
請求項１に係る発明は、体位傾斜表示器であって、上面又は前面の長手方向中央に指標が施された細長い棒状又は板状の横桿と、該横桿の前記指標から等距離にある２つの点を中心に、一平面内でそれぞれ回動可能に設けられている細長い棒状又は板状の縦桿を備え、前記横桿の上面又は前面に、前面側から視認可能な塗料層、反射体又は発光体が設置されていることを特徴とする。
【０００７】
請求項２に係る発明は、請求項１に記載の体位傾斜表示器において、前記塗料層、反射体又は発光体が、前記横桿の長手方向中央と両端部近傍に分離して設置されており、前記長手方向中央に設置されている塗料層、反射体又は発光体が前記指標を兼ねていることを特徴とする。
【０００８】
請求項３に係る発明は、請求項２に記載の体位傾斜表示器において、前記長手方向中央に設置されている発光体が、前記一平面と平行、かつ、前記横桿の長手方向と垂直な前面方向にレーザー光を発射可能な第１レーザーポインタであり、
前記両端部近傍に設置されている発光体が、それぞれ前記一平面と平行、かつ、前記横桿の長手方向と垂直な前面方向にレーザー光を発射可能な第２レーザーポインタ及び第３レーザーポインタであることを特徴とする。
【０００９】
請求項４に係る発明は、請求項１ないし３のいずれかに記載の体位傾斜表示器において、前記横桿の上面又は前面に、前記一平面と平行、かつ、前記横桿の長手方向と垂直な直線が水平となった時に、水平であることを表示する第１水準器及び前記横桿の長手方向と平行な直線が水平となった時に、水平であることを表示する第２水準器を備えることを特徴とする。
【００１０】
請求項５に係る発明は、請求項１ないし４のいずれかに記載の体位傾斜表示器において、前記一平面が前記横桿の下面側にあることを特徴とする。
【発明の効果】
【００１１】
請求項１に係る発明の体位傾斜表示器によれば、横桿の長手方向中央に指標が施され、横桿の指標から等距離にある２つの点を中心にそれぞれ回動可能に設けられている縦桿を備えているので、利用者がどのような大きさや体型であっても、横桿の中央を体の中心に位置させた状態で２つの縦桿を体の両側の適当な場所に位置させることができる。
また、横桿に前面側から視認可能な塗料層、反射体又は発光体が設置されているので、直接見えている又は鏡に映っている横桿の位置を容易に確認することができる。
【００１２】
請求項２に係る発明の体位傾斜表示器によれば、請求項１に係る発明の体位傾斜表示器による効果に加え、横桿の長手方向中央と両端部近傍に、塗料層、反射体又は発光体が分離して設置されているので、横桿の長手方向中央の高さと各端部の高さの差を容易に確認することができる。
また、横桿の長手方向中央に設置されている塗料層、反射体又は発光体は指標を兼ねているので、横桿の中央を体の中心に位置させる時と横桿の傾きを確認する時の両時点で効率的に利用される。
【００１３】
請求項３に係る発明の体位傾斜表示器によれば、請求項２に係る発明の体位傾斜表示器による効果に加え、横桿の長手方向中央に第１レーザーポインタ、横桿の両端部近傍に第２レーザーポインタ及び第３レーザーポインタが設置されており、各レーザーポインタのレーザー光発射方向は平行であるので、鏡がなくても壁さえあれば、その壁に各レーザーポインタからのレーザー光が照射され、それぞれの高さを利用者自身で確認することができる。
その際、予め第１レーザーポインタをセットする位置の床からの高さを壁に表示しておき、第１レーザーポインタからのレーザー光が照射される高さを表示位置に合わせれば、各レーザーポインタからのレーザー光は床に対して平行に進行するので、壁面における各レーザーポインタからのレーザー光照射位置は、各レーザーポインタの高さに対応した位置となる。
また、床に対して垂直な平面の鏡があれば、第１レーザーポインタからのレーザー光が反射して利用者に照射される位置を第１レーザーポインタに合わせるだけで、各レーザーポインタからのレーザー光は床に対して平行、かつ、鏡に対して垂直に進行するので、体位傾斜表示器を正確に位置決めできる。
さらに、体位傾斜表示器を水平な台の上に載せて各レーザーポインタからのレーザー光を照射すると、各レーザーポインタからのレーザー光は水平に進行するので、様々な物体の表面に水平な複数の点を表示でき、それを利用して水平な線を引くこともできる。
【００１４】
請求項４に係る発明の体位傾斜表示器によれば、請求項１ないし３のいずれかに係る発明の体位傾斜表示器による効果に加え、一平面と平行で横桿の長手方向と垂直な直線が水平か否かを表示する第１水準器及び横桿の長手方向と平行な直線が水平か否かを表示する第２水準器を備えているので、観察者、鏡及び壁等がなくても、両縦桿を水平に保ちつつ横桿の傾きを確認することができるという効果を奏する。
【００１５】
請求項５に係る発明の体位傾斜表示器によれば、請求項１ないし４のいずれかに係る発明の体位傾斜表示器による効果に加え、縦桿が回動する一平面が横桿の下面側にあるので、横桿の上面側に指標、塗料層、反射体、発光体、レーザーポインタ、水準器等のうちのいずれかが設けられていても、縦桿を回動させた時に縦桿がこれらと干渉することがない。
また、２つの縦桿を同じ方向に回動させ、両者を横桿に近接した位置で突き合わせれば、コンパクトな状態となり、容易に持ち運ぶことができる。
【図面の簡単な説明】
【００１６】
【図１】実施例の体位傾斜表示器の使用状態における斜視図。
【図２】実施例の体位傾斜表示器の折り畳み状態における平面図。
【図３】実施例の体位傾斜表示器を使用している時の体との位置関係を示す平面図。
【図４】実施例の体位傾斜表示器を骨盤の上部に当てて使用している時の正面図。
【図５】実施例の体位傾斜表示器を鎖骨の上部に当てて使用している時の正面図。
【発明を実施するための形態】
【００１７】
以下、実施例によって本発明の実施形態を説明する。
なお、本明細書においては、実施例を示す図面の右側又は上側を一端部、同じく左側又は下側を他端部という。
【実施例】
【００１８】
図１は、本実施例の体位傾斜表示器の使用状態における斜視図である。
図１に示すように、本実施例の体位傾斜表示器は、細長い板状の横桿１（長さ４０〜５０ｃｍ、幅１〜３ｃｍ）と、横桿１の長手方向中央から等距離（１２〜１５ｃｍ）にある２つの点２、３で、横桿１の下面側に、一端部がそれぞれ点２及び点３を通り横桿１の上面６に垂直な軸を中心に回動可能に設けられている細長い板状の２つの縦桿４、５（長さ２５〜３０ｃｍ、幅１〜３ｃｍ）が基本的な構成部材である。
横桿１及び縦桿４、５は厚さ１〜４ｍｍのアルミ製の板であり、回動可能部分は横桿１及び縦桿４、５に設けた穴に金属製のカシメ部材を通して固定したものである。
【００１９】
横桿１の上面６の長手方向中央には、上面６と平行で横桿１の長手方向に垂直な前面方向にレーザー光を発射可能な第１レーザーポインタ７が設置され、横桿１の上面６の両端部近傍には、上面６と平行で横桿１の長手方向に垂直な前面方向にレーザー光を発射可能な第２レーザーポインタ８及び第３レーザーポインタ９が設置されている。
そして、第１〜第３レーザーポインタ７〜９は、それぞれ横桿１の前端から少し突出している。特に、第１レーザーポインタ７が突出していることにより、横桿１の中央をセットする体の位置の中央に合わせた後、その突出している部分が両足の間の中央に来るように頭を動かすことで、頭の位置を横桿１の中央の真上に位置決めできる。
さらに、横桿１の上面６の中央他端部寄りには、第１レーザーポインタ７に近接させて第１水準器１０及び第２水準器１１が設置されている。
また、縦桿４、５は同じ長さであり、縦桿４、５の他端部側には、それぞれ手で持ち易くするために、ラバー等の柔軟な材質でなるカバー体１２、１３が設けられている。
【００２０】
本実施例の体位傾斜表示器は、使用状態においては、図１に示すように、横桿１と縦桿４、５がほぼ直交しており、体位傾斜表示器をセットする体の大きさや体型に合わせて、点２、３及び縦桿４、５の他端を頂点とする四角形が、ほぼ等脚台形となるように縦桿４、５を回動させて用いる。
また、本実施例の体位傾斜表示器は、収納したり持ち運んだりする際には、図２に示すように、縦桿４、５を同じ方向に回動させ、両者と横桿１との角度を小さくして折り畳み状態とすることができる。
【００２１】
本実施例の体位傾斜表示器の使用方法について説明する。
（１）体位傾斜表示器を体の大きさや体型に合わせて、点２、３及び縦桿４、５の他端を頂点とする四角形が、適当な大きさの等脚台形又は長方形となるように縦桿４、５を回動させる。
（２）両足を少し離した状態でまっすぐに立ち、両手でカバー体１２、１３をつかんで、図３に示すように、第１レーザーポインタ７の他端部を、体位傾斜表示器をセットする体の前方中央（図４に示すように体位傾斜表示器を骨盤の上部１４にセットする場合は、へその部分、図５に示すように鎖骨の上部１５にセットする場合は、喉ぼとけの部分）に合わせ、横桿１を体の前後の軸と直交する状態とした上で、縦桿４、５をセットする体の両側方の所定位置（骨盤の上部１４や鎖骨の上部１５）に載せる。
（３）第１レーザーポインタ７を見て、その一端部（横桿１の前端から突出している部分）が両足の間の中央に来るように頭を動かす。
（４）縦桿４、５の長手方向の軸線が、ともに水平になるように、縦桿４、５の他端部を上下させる。
縦桿４、５が水平になっているか否かを確認する方法としては、ａ．第１水準器１０を用いる方法、ｂ．床に対して垂直な平面鏡がある場合に、平面鏡の真正面に立って、第１レーザーポインタ７からのレーザー光が反射して利用者に照射される位置を第１レーザーポインタ７に合わせる方法、ｃ．前方に壁がある場合に、予め第１レーザーポインタ７のセット位置の高さを壁に表示しておき、鏡の真正面に立って、第１レーザーポインタ７からのレーザー光が照射される高さをその表示に合わせる方法の３通りがある。
このうち、ｂ．の方法は、縦桿４、５が水平になっているか否かだけでなく、横桿１が鏡面に対して平行になっているか否かも確認できるので、最も優れた方法である。
（５）横桿１が床面（水平面）に対して傾いているか否かを確認する。
横桿１が床面（水平面）に対して傾いているか否かを確認する方法としては、ｄ．第２水準器１１を用いる方法、ｅ．平面鏡がある場合に、予め平面鏡に床と平行な線を引いておき、平面鏡の真正面に立って、平面鏡に映る横桿１の長手方向又は第１〜第３レーザーポインタ７〜９の並びが、その平行線に対して平行であるか否かを確認する方法、ｆ．前方に壁がある場合に、その壁にある床と平行な線又は予め壁に引いておいた床と平行な線を利用して、第１〜第３レーザーポインタ７〜９から照射された光点の並びが、その平行線に対して平行であるか否かを確認する方法の３通りがある。
【００２２】
実施例の変形例を列記する。
（１）実施例においては、横桿１を長さ４０〜５０ｃｍ、幅１〜３ｃｍ、厚さ１〜４ｍｍのアルミ製の板とし、縦桿４、５を長さ２５〜３０ｃｍ、幅１〜３ｃｍ、厚さ１〜４ｍｍのアルミ製の板としたが、これらのサイズや材質は一例であり、サイズは利用者の平均的な大きさや体型に応じて適宜変更でき、材質もアルミ板に限らず、適度な強度を有する金属製、木製、竹製の板や棒等どのようなものであっても良い。
（２）実施例においては、回動可能部分を横桿１及び縦桿４、５に設けた穴に金属製のカシメ部材を通して固定したものとしたが、横桿１と縦桿４、５を回動可能に固定できれば、ネジ、釘、ボルトナット等どのような手段を用いても良い。
（３）実施例においては、横桿１の上面６に、第１〜第３レーザーポインタ７〜９、第１水準器１０及び第２水準器１１が設置されていたが、縦桿４、５が水平になっているか否かは横桿１の傾き具合にそれほど大きく影響しないので、目分量で確認する程度で十分である。また、横桿１が床面（水平面）に対して傾いているか否かの確認は、上記ｅ．の平面鏡に映る横桿１の長手方向を確認する方法によれば、第１〜第３レーザーポインタ７〜９や第２水準器１１は必要ない。
したがって、第１〜第３レーザーポインタ７〜９、第１水準器１０及び第２水準器１１は全く設けなくても良いし、これらの中からいずれか一つ又は複数を選択して設置しても良い。
ただし、横桿１の長手方向中央が分かるようにしておくことは、使用する上で必須なので、横桿１の長手方向中央に何も設けない場合には、横桿１の上面６又は前面の長手方向中央に表示や突起等の指標を施す必要がある。
（４）実施例においては、横桿１の上面６に、第１〜第３レーザーポインタ７〜９が設置されていたが、これらは横桿１の前面に設置しても良い。
また、レーザーポインタは３つに限らず、複数設置されていれば床に平行な線に対して傾いているか否かの確認が可能である。
（５）実施例においては、横桿１の上面６に、第１〜第３レーザーポインタ７〜９が設置されていたが、平面鏡を用いる場合には、鏡に映った横桿１が視認できれば良いので、レーザーポインタに代えて、衣服や背景色と区別しやすい色の塗料層、反射体又は発光体（ＬＥＤ等の点光源、ＥＬ等の細長い面光源、細長い導光体を有する光源等）を、横桿１の上面６又は前面に前面側から視認可能となるように設けることも有効である。そうした場合、塗料層、反射体又は発光体を横桿１の上面６又は前面の全面に設けるとより良く、中央だけ異なる色の塗料層、反射体又は発光体とすればさらに良い。
また、塗料層としては蛍光体や反射材を配合したものが特に視認し易く、反射体としては鏡面や再帰反射体が光源を併設する場合には特に有効である。
（６）実施例においては、横桿１の上面６に、第１水準器１０及び第２水準器１１が設置されていたが、第１水準器１０及び第２水準器１１に代えて、前後左右の水平度を表示できる丸型の水準器を設置しても良い。
（７）実施例においては、横桿１及び縦桿４、５との交差角度を表示していなかったが、横桿１の長手方向の中心軸線と縦桿４、５の長手方向の中心軸線がなす角度が分かるように、点２、３の周囲に角度を示す放射状の線を施しても良い。そうした場合、各放射状の線に角度表示を加えるとさらに使い易くなる。
（８）実施例においては、点２と点３は横桿１の長手方向の中心軸線上にあったが、点２と点３を前後方向にずらし、縦桿４、５をそれぞれ横桿１の半分以下の幅とすれば、折りたたみ状態において、横桿１と縦桿４、５のなす角度を０度とし、縦桿４、５を横桿１の下面内に収めることができる。
（９）本実施例の体位傾斜表示器の使用方法について説明では、骨盤の上部１４や鎖骨の上部１５の高さの差を表示する場合を例示したが、他の部位（例えば、左右の膝や肩甲骨）においても使用可能である。
【符号の説明】
【００２３】
１  横桿      ２、３  横桿中央から等距離の点      ４、５  縦桿
６  横桿の上面      ７  第１レーザーポインタ
８  第２レーザーポインタ      ９  第３レーザーポインタ
１０  第１水準器      １１  第２水準器      １２、１３  カバー体
１４  骨盤の上部      １５  鎖骨の上部
【図１】
2015159880.tif 000003
【図２】
2015159880.tif 000004
【図３】
2015159880.tif 000005
【図４】
2015159880.tif 000006
【図５】
2015159880.tif 000007